(57)【要約】      （修正有）【課題】被施療者の臀部に対して揉み玉による揉みや叩きのマッサージを十分に施すことができるマッサージ機を提供する。【解決手段】被施療者Ｍが着座する座部１と、当該座部１に連接され当該被施療者Ｍの背中を支持する背もたれ部２と、当該背もたれ部２に当該被施療者Ｍの少なくとも背部をマッサージするマッサージ手段を備えるマッサージ機であって、前記被施療者Ｍの右臀部を押圧して少なくとも当該被施療者の右臀部を昇降させる第１の身体昇降手段と当該被施療者Ｍの左臀部を押圧して少なくとも当該被施療者の左臀部を昇降させる第２の身体昇降手段とを所定の距離を空けて備え、当該第１の身体昇降手段及び第２の身体昇降手段により当該被施療者Ｍの身体が上昇している状態で、当該第１の身体昇降手段と当該第２の身体昇降手段との間を前記マッサージ手段で施療することを特徴とする。【選択図】図２
2008295878.tif 000002
【特許請求の範囲】
【請求項１】
被施療者が着座する座部と、当該座部に連接され当該被施療者の背中を支持する背もたれ部と、当該背もたれ部に当該被施療者の少なくとも背部をマッサージするマッサージ手段を備えるマッサージ機であって、
前記被施療者の右臀部を押圧して少なくとも当該被施療者の右臀部を昇降させる第１の身体昇降手段と当該被施療者の左臀部を押圧して少なくとも当該被施療者の左臀部を昇降させる第２の身体昇降手段とを所定の距離を空けて備え、当該第１の身体昇降手段及び第２の身体昇降手段により当該被施療者の身体が上昇している状態で、当該第１の身体昇降手段と当該第２の身体昇降手段との間を前記マッサージ手段で施療することを特徴とするマッサージ機。
【請求項２】
請求項１に記載のマッサージ機において、
前記第１の身体昇降手段及び第２の身体昇降手段の外周における対向する内側を前記座部に支持されて固定され、外側を昇降させることを特徴とするマッサージ機。
【請求項３】
請求項１または２に記載のマッサージ機において、
前記被施療者の大腿部と接触して当該被施療者の大腿部を昇降させる大腿部昇降手段を備え、前記第１の身体昇降手段及び第２の身体昇降手段と前記大腿部昇降手段が連係して当該被施療者の身体を昇降させることを特徴とするマッサージ機。
【請求項４】
請求項１ないし３のいずれかに記載のマッサージ機において、
前記身体昇降手段がエアバッグで形成され、当該エアバッグの給排気により被施療者を昇降させることを特徴とするマッサージ機。
【発明の詳細な説明】
【技術分野】
【０００１】
本発明は、座部及び背もたれ部を備えるマッサージ機に関し、特に、被施療者の臀部のマッサージを行うマッサージ機に関する。
【背景技術】
【０００２】
本発明の背景技術となるマッサージ機としては、特許文献１に示すものがある。この特許文献１に示す技術について図を用いて説明する。図１４は、特許文献１に示す技術のマッサージ機の全体斜視図である。マッサージ機本体２００は、被施療者Ｍが着する座部２０１と、座部２０１を支持する基台部２０２と、座部２０１の後側にリクライニング可能に連結した背もたれ部２０４と、座部の前側に上下方向へ揺動可能に連結した脚載部２０６とを備えており、座部２０１の両側には、肘掛部２０７、２０７が立設している。
【０００３】
背もたれ部２０４の中央を通る縦軸上には、機械的マッサージを行う叩き機構と揉み機構を有するマッサージユニット４００が埋設してあり、マッサージユニット４００は背もたれ部２０４内にその両側縁から距離を隔てて互いに平行に縦設したガイドレールによって案内されて、昇降するようにしてある。マッサージユニット４００には、被施療者Ｍの身体に背もたれ部２０４の表面部を介して当接してマッサージを行う揉み玉５００、６００を具備する揉み玉駆動ユニットが前後方向に揺動可能に配設してある。
【０００４】
座部２０１には、該座部２０１の寸法より少し短い長さ寸法を有する横長の臀部用エアバッグａ３及び腿部用エアバッグａ４が、座部２０１の奥側から順に、互いに距離を隔てて埋設してある。これらの各エアバッグａ１、ａ２、・・・は、基台部２０２内に格納した給排気部によって配置位置別に給排気されるようになっている。
【０００５】
これにより、揉み玉による背中下方部の機械的マッサージと、座部に設けたエアバッグによる臀部の上下移動を伴うエアマッサージとを交互にまたは同時に行うことができる。また、臀部全体の上方の領域を後方から強くマッサージする動作と、臀部全体の下方の領域を下からソフトにマッサージする動作とを繰り返すため、筋肉の緊張がより緩和され、被施療者に対するマッサージ効果も向上するというものである。
【特許文献１】特開２００５−１３４６３号公報
【発明の開示】
【発明が解決しようとする課題】
【０００６】
しかしながら、特許文献１の技術では、背もたれ部２０４のガイドレールに沿って揉み玉５００、６００が上下動して臀部をマッサージする構成であることから、揉み玉５００、６００の移動が座部２０１の上面で制限されて、座部２０１に着座する被施療者の臀部全体の下方の領域を十分にマッサージすることができないという課題を有する。
【０００７】
また、被施療者が臀部全体の領域近傍を揉み玉５００、６００により強くマッサージしたい場合に、被施療者の臀部全体の下方の領域に直接接触しているエアバッグａ３が邪魔になり揉み玉５００、６００による強いマッサージを十分に受けることができないという課題を有する。
【０００８】
さらに、座部２０１に設けたエアバッグａ３により被施療者の臀部を上下動させるが、エアバッグにエアが給気された場合にエアバッグの上面が丸みをおびた状態になってしまうため、被施療者が不安定となり危険な場合がある。
【０００９】
さらにまた、特許文献１では背中のマッサージと臀部のマッサージとを個別独立して別途に行われることから、背中から臀部にかけて揉み玉５００、６００による揉み、叩きのマッサージを一連に実行できないという課題を有する。
【００１０】
本発明は前記課題を解決するためになされたものであり、被施療者の臀部に対して揉み玉による揉みや叩きのマッサージを十分に施すことができるマッサージ機を提供することを目的とする。
【課題を解決するための手段】
【００１１】
（１  臀部のマッサージ）
本発明に係るマッサージ機は、被施療者が着座する座部と、当該座部に連接され当該被施療者の背中を支持する背もたれ部と、当該背もたれ部に当該被施療者の少なくとも背部をマッサージするマッサージ手段を備えるマッサージ機であって、前記被施療者の右臀部を押圧して少なくとも当該被施療者の右臀部を昇降させる第１の身体昇降手段と当該被施療者の左臀部を押圧して少なくとも当該被施療者の左臀部を昇降させる第２の身体昇降手段とを所定の距離を空けて備え、当該第１の身体昇降手段及び第２の身体昇降手段により当該被施療者の身体が上昇している状態で、当該第１の身体昇降手段と当該第２の身体昇降手段との間を前記マッサージ手段で施療することを特徴とする。
【００１２】
このように、本発明においては被施療者の右臀部を押圧して少なくとも当該被施療者の右臀部を昇降させる第１の身体昇降手段と、被施療者の左臀部を押圧して少なくとも当該被施療者の左臀部を昇降させる第２の身体昇降手段という２つの別々の昇降手段を所定の距離を空けて備え、第１の身体昇降手段及び第２の身体昇降手段により当該被施療者の身体が上昇している状態で、第１の身体昇降手段と第２の身体昇降手段との間をマッサージ手段で施療するため、被施療者の臀部近傍を背もたれ部に備えられたマッサージ手段により効果的にマッサージすることができる。
【００１３】
また、これまでは身体昇降手段とマッサージ手段の関連性がなく、個別独立にマッサージを行っていたが、身体昇降手段の昇降動作と背もたれ部に備えられたマッサージ手段を連動させることで、被施療者の臀部から腰部にかかる領域のマッサージを一連の動作でシームレスに施療することができる。
【００１４】
なお、マッサージ手段が施療する第１の身体昇降手段と第２の身体昇降手段の間とは、第１の身体昇降手段と第２の身体昇降手段の間の領域のみではなく、被施療者における前後方向の領域も含む。
【００１５】
（２  安定性）
本発明に係るマッサージ機は、前記第１の身体昇降手段及び第２の身体昇降手段の外周における対向する内側を前記座部に支持されて固定され、外側を昇降させることを特徴とする。
このように、本発明においては第１の身体昇降手段及び第２の身体昇降手段の外周における対向する内側を座部に支持されて固定され、外側を昇降させるため、被施療者の身体を上昇させる時に被施療者の臀部が、それぞれの昇降手段に収まるようにして上昇することで、被施療者の身体を安定させて安全に昇降することができる。
【００１６】
また、第１の身体昇降手段及び第２の身体昇降手段による上昇の動作を行う場合、被施療者の臀部を挟み込むようにして、被施療者の身体を上昇させるため、被施療者の臀部に対して第１の身体昇降手段及び第２の身体昇降手段による外側から内側への施療を行うことができ、マッサージ手段によるマッサージと組み合わせることで複合的なマッサージを行うことができる。
【００１７】
（３  大腿部の昇降手段）
本発明に係るマッサージ機は、前記被施療者の大腿部と接触して当該被施療者の大腿部を昇降させる大腿部昇降手段を備え、前記第１の身体昇降手段及び第２の身体昇降手段と前記大腿部昇降手段が連係して当該被施療者の身体を昇降させることを特徴とする。
【００１８】
このように、本発明においては被施療者の大腿部と接触して被施療者の大腿部を昇降させる大腿部昇降手段を備え、第１の身体昇降手段及び第２の身体昇降手段と大腿部昇降手段がお互いに連係して動作することで被施療者の身体を昇降させるため、被施療者の状態に応じて安全に昇降させることができる。例えば、被施療者がマッサージ機から立ち上がる場合は、第１の身体昇降手段及び第２の身体昇降手段を上昇させ、大腿部昇降手段は下降させる。そうすることで被施療者が前かがみの状態となり、マッサージ機から立ち上がりやすくなる。また、被施療者の臀部が後方に突き出た状態になり、被施療者の臀部とマッサージ手段が適切に当接した状態で十分なマッサージをすることができる。
【００１９】
また、第１の身体昇降手段及び第２の身体昇降手段を下降させ、大腿部昇降手段を上昇させた場合は、被施療者の重心が後方に移動することで、結果的に被施療者の臀部を後方にずらすことができる。そうすることで、被施療者の臀部を第１の身体昇降手段及び第２の身体昇降手段により上昇させやすくすることができる。
【００２０】
さらに、第１の身体昇降手段及び第２の身体昇降手段と大腿部昇降手段の両方を上昇させた場合は、被施療者はより安定的で且つ安全に身体を上昇させることができる。
なお、大腿部昇降手段のみを上昇させる場合には、被施療者にリクライニングを促すメッセージを表示するようにしてもよい。そうすることで、より確実に被施療者のマッサージを行うことができる。
【００２１】
（４  エアバッグによる昇降）
本発明に係るマッサージ機は、前記身体昇降手段がエアバッグで形成され、当該エアバッグの給排気により被施療者を昇降させることを特徴とする。
このように、本発明においては身体昇降手段がエアバッグであるため、被施療者の臀部において身体昇降手段と接触している領域をエアバッグの押圧により施療することが可能となり、マッサージ効果を上げることができる。また、被施療者との接触箇所がエアバッグであるため、被施療者の触感もよく使い心地が良くなるという効果も有する。
また、それぞれの身体昇降手段の外周の対向する内側を座部に固定した場合は、エアの給排気により被施療者の臀部を施療することができ、マッサージ効果を上げることができる。
【発明を実施するための最良の形態】
【００２２】
（本発明の第１の実施形態）
本発明の第１の実施形態に係るマッサージ機について、図に基づき説明する。図１は本実施形態に係るマッサージ機の全体斜視図、図２は本実施形態に係るマッサージ機の側面断面図である。
【００２３】
（１．マッサージ機全体の構成）
本実施形態におけるマッサージ機の基本的構成要素は、被施療者の背中を支持する背もたれ部２と、この背もたれ部２の下端と接し被施療者が着座した場合に被施療者の臀部を支持する座部１と、当該座部１を支持する基台部５と、基台部５に接合し被施療者の肘を支持する肘置部１０と、座部１の先端下側に枢設され被施療者の足が載置される脚載部３と、背もたれ部２の内部に揉み玉９３及び揉み玉９３を動作させる揉み玉機構を有するメカユニット７０とを備える構成である。
【００２４】
（２．背もたれ部）
背もたれ部２は、リクライニングでき、被施療者との接触面の両端側にクッション材を配設し、着座して背もたれ部２にもたれると被施療者の背中が背もたれ部２の中心に位置するようになっている。背もたれ部２の正面側であって、両側縁近傍の位置にはそれぞれ左右に対をなす背中部用エアバッグａ６及び腰部用エアバッグａ７が、背中部及び腰部の高さ位置に応じて埋設してある。座部１と背もたれ部２は枢軸１５を介して連結されており、リクライニングの際はこの枢軸１５を中心に背もたれ部２を傾動させることで適度な角度でリクライニングを行う。リクライニング機能は、支持アーム１６と背もたれ部２の下端近傍の間にリニア動作を行うリクライニングアクチュエータ１７が架設されており、当該リクライニングアクチュエータ１７の進退動作によって、前記背もたれ部２を、枢軸１５を中心に傾動させることで実現される。リクライニングアクチュエータ１７はリクライニング用モータ１８から駆動力が与えられるようになっており与えられた駆動力によって進退動作を行う。また、前記枢軸１５の近傍には背もたれ部２の傾動角度を検出するリクライニング角度検出センサ（図示しない）が配設されており、リクライニング角度の調整を行っている。
【００２５】
（３．肘置部）
肘置部１０は、座部１の両側に位置し基台部５と接合している。背もたれ部２がリクライニングすることで座部１が傾動した場合でも、被施療者の前腕を安定的に支持できるようにカーブを有して形成されている。
【００２６】
（４．脚載部）
脚載部３は、座部１の前端側に位置している。脚載部３は、内部に２つの半円筒状の脚受１１を互いに平行に設けて、脚受１１の各両内側には、左右に対をなす脚上部用エアバッグａ１及び脚下部用エアバッグａ２が、それぞれ脚受１１の中心軸の軸長方向へ所定の距離を隔てて配設してある。
【００２７】
また、脚載部３は、被施療者の脚当接面方向に傾動することが可能となっている。脚載部３の傾動動作は、基台部５内に配設された前記支持アーム１６と脚載部３の裏面との間に架設された、リニア動作するフットレストアクチュエータ１９の進退動作によって、脚載部３を枢支連結部材（図示しない）の枢軸回りに傾動させて実現している。フットレストアクチュエータ１９にはフットレスト駆動用モータ２０から駆動力が与えられるようになっており、与えられた駆動力によってフットレストアクチュエータ１９は進退動作をする。また、前記枢支連結部材（図示しない）の近傍に、脚載部３の傾動角度を検出するフットレスト角度検出センサ（図示しない）が配設してある。
【００２８】
（５．メカユニット）
図３は本実施形態に係るメカユニットの各面図、図４は本実施形態に係る揉み玉ユニットの側面図である。
メカユニット７０は、施療子である揉み玉９３及び揉み玉９３を動作させる揉み玉機構を有し傾動可能な傾動部と、この傾動部を傾動可能な状態で支持するメカユニットベースとからなる。このメカユニット７０には揉み玉９３に揉み動作を行わせるための揉みモータ９１、叩き動作を行わせるための叩きモータ９２、揉み玉９３及び揉み玉機構を傾動させるための強弱モータ（進退モータ）９８を配設している。このように揉み玉９３だけが延出して施療を行うのではなく、揉み玉機構も併せて傾動し、突出した状態で揉み玉９３による施療がなされるので、揉み玉９３のみが延出するタイプのマッサージ機と比べより安定した状態で揉み玉９３により施療できる。このメカユニットベースにはメカユニット７０が昇降するための昇降軸８２が配設され、この昇降軸８２の両端にガイドローラ７４、７６がそれぞれ設けられている。メカユニットベースのガイドローラ７４、７６の上部位置にさらにガイドローラ７３、７５が設けられている。
【００２９】
背もたれ部２内には背もたれ部２の上下方向に沿って形成されている１対のガイドレール７１が配設されている。このガイドレール７１にメカユニット７０の左右２つずつ設けられたガイドローラ７３、７４、７５、７６を挿嵌し、ガイドローラ７４、７６に隣接して設けられるピニオンギア７７、７８を介してメカユニット７０の右側組付台８０ａに配設された昇降モータ８１からの運動が伝達され、昇降モータ８１の駆動に応じてメカユニット７０の昇降動作を実現している。
【００３０】
昇降モータ８１からの運動の伝達は、昇降モータ８１の回転軸の先端に形成されたウォーム（図示しない）と、昇降軸８２に装着したウォームホイール（図示しない）とが係合し、昇降モータ８１が駆動することで回転軸（図示しない）が回転しウォームが回転し、係合するウォームホイールが回転することでピニオンギア７７、７８に回転力が伝達される。これらウォーム、ウォームホイール、回転軸は、ギアボックス８３により被覆されている。昇降軸８２はメカユニット７０の下部に位置するように配設されている。昇降軸８２は右側組付台８０ａの底部に配設されたギアボックス８３（正確にはギアボックスが被覆する軸受）と、左側組付台８０ｂの底部に配設された軸受８４により回動可能に支持されている。右側組付台８０ａと左側組付台８０ｂの底部は断面凹状の連結杆８５により連結されている。右側組付台８０ａと左側組付台８０ｂの上部も中空杆８６が架設されている。中空杆８６の両端にガイドローラ７３、７５が回動可能に取り付けられている。中空杆８６自体は両端近傍部分をそれぞれ右側組付台８０ａと左側組付台８０ｂに接合して固定されており回動しない。なお、連結杆８５及び中空杆８６は溶接により右側組付台８０ａ及び左側組付台８０ｂに接合している。
【００３１】
揉み玉ユニット９０は昇降軸８２に装着され、昇降軸８２を中心に回動可能になっている。揉み玉ユニット９０は揉み玉モータ９１、叩きモータ９２からの運動を揉み玉９３に伝達するための揉み玉機構と、叩き機構を有しており、この揉み玉機構及び叩き機構が揉み玉ユニット９０のハウジング９４に内設されている。このハウジング９４の上部に昇降軸８２を中心として所定半径距離９５ａとなる側面上辺を有するように曲折したラック９５が所定間隔の４箇所のネジ留めにより取り付けられている。このラック９５と係合するピニオンギア９６が前記メカユニット７０の上部に位置するように配設されている進退軸９７に装着されている。また、進退軸９７にはウォームホイール（図示しない）が装着されている。メカユニット７０の左側組付台８０ｂに配設された進退モータ９８の回転軸（図示しない）の先端に形成されたウォーム（図示しない）とウォームホイールが係合している。これらウォームホイール、回転軸、ウォームはギアボックス９９に内設されている。進退モータ９８が回転することにより、回転軸及びウォームが回転し、係合するウォームホイールが回転する。このウォームホイールが回転することで、進退軸９７が回転し、ピニオンギア９６も係合するラック９５に沿って回転し、揉み玉ユニット９０が被施療者の背中方向に進退する。なお、進退軸９７は右側組付台８０ａの上部に配設された軸受と、左側組付台８０ｂの上部に配設されたギアボックス９９（正確にはギアボックスが被覆する軸受）とにより回動可能に支持されている。
【００３２】
（６．メカユニットによるマッサージ）
前記メカユニット７０によるマッサージは、例えば、揉み玉モータ９１を正回転させながらメカユニット７０を上昇させていく揉み玉上げ、揉み玉モータ９１逆回転させながらメカユニット７０を下降させていく揉み玉下げ、叩きモータ９２を正回転させる叩き、揉み玉下げながらたたくさざなみ、一箇所を押圧する指圧、強よりさらに強い位置での揉み玉上げである深揉み玉上げ、強よりさらに強い位置での揉み下げである深揉み玉下げ、弱よりもさらに弱い位置での揉み玉下げであるさすり、指圧したままローリングして下から上へほぐすストレッチ、背中全体をローリングする全体背筋のばし、狭い範囲を集中的にローリングする部分背筋のばし等のマッサージがある。
【００３３】
（７．座部のエアバッグ）
前記座部１には、当該座部１の幅より少し短い長さを有する横長の腿部用エアバッグａ４が配設されている。腿部用エアバッグａ４の奥側には右臀部用エアバッグａ３１と左臀部用エアバッグａ３２が所定の距離を空けて併設されている。これらの各エアバッグは、基台部５内に格納された給排気部によってそれぞれ給排気されるようになっている。
【００３４】
（８．各エアバッグの機能）
各エアバッグａ１、ａ２、・・・は空気の給排気により伸縮したり、膨張、収縮することでそれぞれのエアバッグが配置された位置における体の各所を刺激してマッサージを行う。また、揉み玉によるマッサージと組み合わせることで、より効果的なマッサージを行うことができる。脚上部用エアバッグａ１、及び脚下部用エアバッグａ２にはエアによる直接的なマッサージ機能以外にも脚を固定する機能も有する。脚上部用エアバッグａ１、及び脚下部用エアバッグａ２は被施療者の脚を狭持することで脚を固定し、その状態で脚載部３を被施療者から離れる方向にスライドさせることで伸びによるストレッチ効果を得ることができる。また、脚載部３を下方に回動させることで同じように伸びによるストレッチ効果が得られる。
【００３５】
また、腿部用エアバッグａ４、右臀部用エアバッグａ３１、及び左臀部用エアバッグａ３２はエアによる直接的なマッサージ機能以外にも、被施療者の体を昇降させる機能を有する。被施療者の体を上昇させることで、通常ではメカユニット７０の揉み玉９３が届かないような被施療者の腰から臀部近傍にも揉み玉９３によるマッサージを施すことができる。本実施形態に係るマッサージ機では、右臀部用エアバッグａ３１と左臀部用エアバッグａ３２との間には所定の距離が空いており、被施療者の体を上昇させた際にはその距離に対応した空間を被施療者の腰から臀部の近傍に確保することができる。従って、従来は被施療者を支持するためのエアバッグが邪魔になってマッサージができなかった箇所にもマッサージを施すことができるようになる。
【００３６】
（９．給排気部）
図５は、本実施形態に係るマッサージ機に設けた給排気部の構成を示すブロック図である。図中、１１８は各エアバッグａ１、ａ２、・・・に給気するためのエアポンプである。エアポンプ１１８には、当該エアポンプ１１８から圧入される大気を一時的に貯留すると共に、各エアバッグａ１、ａ２、・・・に分流する分流器１１９が連結してある。分流器１１９には、複数の吐気口が各エアバッグａ１、ａ２、・・・に対応して設けてあり、各吐気口には当該吐気口の開口を開閉する電磁弁Ｂ１、Ｂ２、・・・がそれぞれ設けてある。この分流器１１９の各吐気口と、対応するエアバッグａ１、ａ２、・・・とは耐圧ホースによってそれぞれ連結してある。そして、これらの電磁弁Ｂ１、Ｂ２、・・・の開閉動作を制御することによって所要のエアバッグａ１、ａ２、・・・に対して給排気して、エアバッグａ１、ａ２、・・・を膨張、収縮させる。これによって、被施療者に対してエアマッサージ及びその他の動作が行われる。
【００３７】
（１０．腰、臀部のマッサージ）
図６は腰部から臀部近傍に対してメカユニット７０によるマッサージを図示した模式図である。図６（ａ）は被施療者の上方から見た場合の上面図であり、図６（ｂ）は被施療者の後方から見た場合の背面図である。被施療者Ｍが座部１に着座した際、腿部用エアバッグａ４は被施療者Ｍの大腿部の裏に当接している。また、右臀部用エアバッグａ３１は被施療者Ｍが着座した際に被施療者Ｍの右臀部、左臀部用エアバッグａ３２は被施療者Ｍが着座した際に被施療者Ｍの左臀部にそれぞれ当接している。そして、メカユニット７０の揉み玉９３は、揉み上げ、揉み下げ等のマッサージを行いながら被施療者Ｍの首から腰にかけて当接して揉み、叩きのマッサージを施す。しかしメカユニット７０が昇降移動できる範囲には制限があるため、被施療者Ｍが座部１に着座した状態であれば、非施療者Ｍの腰部近傍まではマッサージできても、臀部まではマッサージをすることができない。そこで、それぞれの臀部用エアバッグに給気することにより被施療者の体を上昇させ、メカユニット７０の揉み玉９３が届く高さまで臀部の位置を移動させることで、臀部のマッサージを行う。
【００３８】
図６（ｂ）は右臀部用エアバッグａ３１及び左臀部用エアバッグａ３２に給気して膨張した場合の被施療者の背面図である。図示したように右臀部用エアバッグａ３１及び左臀部用エアバッグａ３２に給気することにより、被施療者Ｍの体はそれぞれのエアバッグの膨張に合わせて上昇する。被施療者Ｍの体が上昇したら被施療者Ｍの体と座部１との間に空間Ｓができる。この空間を利用することで被施療者Ｍの腰部及び臀部に対してメカユニット７０によるマッサージを施すことができる。従来であれば右臀部用エアバッグａ３１と左臀部用エアバッグａ３２に分けずに一つの臀部用エアバッグとして被施療者Ｍの腰部及び臀部にマッサージを行っていたため、図の揉み玉９３の位置には臀部用エアバッグが存在し、揉み玉９３によるマッサージを十分に受けることができなったが、本実施形態に係るマッサージ機においては空間Ｓを確保しているため、被施療者Ｍの腰部及び臀部に対して揉み玉９３によるマッサージを十分に行うことができる。またこの時、臀部の下方には空間Ｓがあり、揉み玉９３の被施療者Ｍに対する進退移動の範囲を大きくすることで、臀部の下方の領域に対しても揉み玉９３によるマッサージを行うことができる。
【００３９】
（本発明の第２の実施形態）
本発明の第２の実施形態に係るマッサージ機に関して、図を用いて説明する。
（１．臀部用エアバッグの固定）
図７は本実施形態に係るマッサージ機の座部の上断面図及び側断面図である。図７（ａ）は座部１の上断面図であり図７（ｂ）は座部１の側断面図である。座部１の前側には腿部用エアバッグａ４が備えられている。座部１の後側には右臀部用エアバッグａ３１（右臀部用エアバッグ下ａ３１１、右臀部用エアバッグ上ａ３１２）と左臀部用エアバッグａ３２（左臀部用エアバッグ下ａ３２１、左臀部用エアバッグ上ａ３２２）が所定の距離を空けて備えられる。右臀部用エアバッグ下ａ３１１と右臀部用エアバッグ上ａ３１２は重なるようにしてタッピングスクリュー１３２及びスピードナット１３０により座部１に固定されている。右臀部用エアバッグ下ａ３１１と右臀部用エアバッグ上ａ３１２も同様に重なるようにしてタッピングスクリュー１３２及びスピードナット１３０により座部１に固定されている。
【００４０】
また、右臀部用エアバッグ下ａ３１１と右臀部用エアバッグ上ａ３１２は右臀部用エアバッグ給排気部１３６と接続しており、図５に示したようにエアポンプ１１８から送られてくるエアを給気及び排気している。同様に左臀部用エアバッグ給排気部１３６と腿部用エアバッグ給排気部１４０も図５に示したエアポンプ１１８から送られてくるエアを給排気している。
【００４１】
なお、本実施形態においては右臀部用エアバッグａ３１及び左臀部用エアバッグａ３２はそれぞれ２つのエアバッグａ３１１、ａ３２２とａ３２１、ａ３２２を備える構成としたが、２つ以上を用いてもよいし１つでもよい。
また、座部への固定方法に関しても、例えば軸を固定しその軸を中心に蝶番のようにエアバッグを回動さるようにする等、本実施形態に限定しない。
【００４２】
（２．腰、臀部のマッサージ）
図８は本実施形態に係るマッサージ機により腰部から臀部近傍に対してメカユニット７０によるマッサージを図示した模式図である。図６の場合と異なる点は図８（ａ）において、右臀部用エアバッグａ３１及び左臀部用エアバッグａ３２を被施療者Ｍの上方から見た場合の外周の内側方向の所定箇所を座部１に固定している点である。固定の仕方としては、それぞれのエアバッグの外周の内側をタッピングスクリュー１３２及びスピードナット１３０により座部１に支持されて固定されている。それぞれの臀部用エアバッグに給気することで被施療者Ｍの身体を上昇させることができるが、右臀部用エアバッグａ３１及び左臀部用エアバッグａ３２の外周の内側が固定されていることで、被施療者Ｍの臀部とエアバッグとの当接面が内側に傾斜しているため、従来に比べて被施療者Ｍの身体を安定して上昇させることができる。
【００４３】
図８（ｂ）は右臀部用エアバッグａ３１及び左臀部用エアバッグａ３２に給気して膨張した場合の被施療者の背面図である。前記で示した通り、被施療者Ｍの臀部がそれぞれの臀部用エアバッグに収まることで被施療者Ｍの身体が安定している。そのため、被施療者Ｍがバランスを崩す危険が減り、安全性が向上する。
【００４４】
また、右臀部用エアバッグａ３１及び左臀部用エアバッグａ３２の外周の所定箇所が固定されていない場合に比べて空間Ｓが広がっているため、より広範囲をメカユニット７０によりマッサージを行うこともできる。
【００４５】
さらに、右臀部用エアバッグａ３１及び左臀部用エアバッグａ３２が被施療者の臀部と接触する面が図８（ｂ）に示すように逆ハの字型になっている。つまりこの状態でエアの給排気を行うことでエアによる外側から内側への施療を臀部に対して行うこともできる。また、メカユニット７０によるマッサージを組み合わせることで複合的なマッサージを行うことができる。
【００４６】
さらにまた、右臀部用エアバッグａ３１及び左臀部用エアバッグａ３２の外側から内側への施療とメカユニット７０による後方からのマッサージを連動させて動作させることで、一連の動作でシームレスなマッサージを行うことができ、右臀部用エアバッグａ３１及び左臀部用エアバッグａ３２の給排気により被施療者の身体を上下動させることによりマッサージ手段のマッサージ箇所も一定にならず、広範囲を施療できるため、多様的で且つ効果的なマッサージを行うことができる。
【００４７】
（本発明の第３の実施形態）
本発明の第３の実施形態に係るマッサージ機に関して、図を用いて説明する。
（１．腿部用エアバッグとの連係）
図９は本実施形態に係るマッサージ機の座部に備えるエアバッグの動作を示した模式図である。図９（ａ）は本実施形態に係るマッサージ機の上断面図であり、座部１の後側（被施療者Ｍの背側）には右臀部用エアバッグａ３１と左臀部用エアバッグａ３２を備え、座部１の前側（被施療者Ｍの腹側）には腿部用エアバッグａ４を備えている。
【００４８】
図９（ｂ）は本実施形態に係るマッサージ機の側断面図であり、腿部用エアバッグと臀部用エアバッグはいずれも給気されていない状態で被施療者Ｍがマッサージ機に座っている状態である。被施療者Ｍが腰部から臀部近傍に対してメカユニット７０によるマッサージを行う場合は、まずは腿部用エアバッグａ４を給気させ、臀部用エアバッグａ３１、ａ３２には給気しない（図９（ｃ））。その場合、被施療者Ｍの重心は自然に後方（被施療者Ｍの背側）に移動し、被施療者Ｍの臀部が背もたれ部２の方向にずれ、被施療者Ｍをマッサージに適した正しい姿勢に近づけることができる。したがって、その後臀部用エアバッグａ３１、ａ３２に給気を開始した際に、被施療者Ｍの臀部の位置が適正化され、臀部を右臀部用エアバッグａ３１及び左臀部用エアバッグａ３２により上昇させやすくすることができる。
【００４９】
そして図９（ｄ）に図示するように臀部のマッサージの際は臀部用エアバッグａ３１、ａ３２のみ給気され、腿部用エアバッグａ４に給気された空気は排気されるため、被施療者Ｍの臀部が後方に突き出た状態となり、背もたれ部２に備えられたメカユニット７０により被施療者Ｍの臀部を効果的にマッサージできるという効果も有している。
【００５０】
なお、被施療者Ｍがマッサージ機から立ち上がる場合も、臀部用エアバッグａ３１、ａ３２を給気させ、腿部用エアバッグａ４には給気しない。そうすることで被施療者Ｍの重心は自然に前方（被施療者Ｍの腹側）に移動し、楽に立ち上がることができる。
このように、臀部用エアバッグａ３１、ａ３２及び腿部用エアバッグａ４が連係することにより、被施療者Ｍの臀部に対して効果的なマッサージを施療することができる。
【００５１】
（その他の実施形態）
（１．リクライニングを利用した臀部のマッサージ）
図１０は、本実施形態に係るマッサージ機をリクライニングした場合の模式図である。
前記のような被施療者Ｍの臀部に対するマッサージを効果的に行う場合、揉み玉９３が被施療者Ｍの臀部に適切に当接することが必要となる。しかし、被施療者Ｍがマッサージ機に浅く腰掛けてしまうことがあり、そのような場合は揉み玉９３が被施療者Ｍの臀部に適切に当接しないことも起こりうる。本実施形態に係るマッサージ機では被施療者Ｍの臀部に揉み玉９３を適切の当接させるためにリクライニングを利用する。
【００５２】
図１０（ａ）はリクライニングに加えて腿部用エアバッグａ４を給気した場合の図である。腿部用エアバッグａ４の給気により、臀部用エアバッグａ３１、ａ３２のみ給気した場合に比べて被施療者Ｍの重心が後方に移動することに加え、リクライニングにより被施療者Ｍの臀部が背側にずれてメカユニット７０との距離を近接させることができる。従って、被施療者Ｍの臀部は、メカユニット７０の揉み玉９３に当接されやすくなり、十分に臀部のマッサージを行うことができる。
【００５３】
そして上述の実施例と同様に臀部用エアバッグａ３１、ａ３２に給気を開始した際に、被施療者Ｍの臀部を右臀部用エアバッグａ３１及び左臀部用エアバッグａ３２により上昇させやすくすることができる。
【００５４】
また、図１０（ｂ）に示すように座部１と背もたれ部２のなす角度θを維持したまま座部１と背もたれ部２が共に被施療者の後方向に傾動するようにリクライニングすることもできる。さらに、図１０（ｃ）に示すように座部１と背もたれ部２のなす角度θを大きくしながら被施療者の後方に倒れるように背もたれ部２を傾動する動作に合わせて座部１も被施療者の後方向に傾動するようにリクライニングすることもできる。いずれの方法においても被施療者Ｍの臀部とメカユニット７０との間の距離を近づけることができ、腰部から臀部近傍に対して揉み玉９３によるマッサージをより良好に行うことができる状態となる。
【００５５】
なお、図１０（ｂ）、（ｃ）のいずれの場合であっても、リクライニングに加え腿部用エアバッグａ４を給気すれば被施療者Ｍの重心が更に後方に傾き、リクライニングにより被施療者Ｍの臀部が背側にずれて適正なマッサージ姿勢により近づけることが出来る。
【００５６】
適正なマッサージ姿勢となれば上述の実施例と同様に臀部用エアバッグａ３１、ａ３２に給気を開始した際に、被施療者Ｍの臀部を右臀部用エアバッグａ３１及び左臀部用エアバッグａ３２により上昇させやすくすることができる。
【００５７】
上記図１０（ａ）、（ｂ）、（ｃ）に示した実施例においては臀部のマッサージにおける臀部用エアバッグａ３１、ａ３２の給気に際し、腿部用エアバッグａ４の給気のみならず背もたれ部２のリクライニング動作とも関連付けて、連係させている。
【００５８】
なお、上記図９、図１０に示すような腿部用エアバッグａ４の連係が係わる実施例においてはメカユニット７０による臀部のマッサージ開始時には腿部用エアバッグａ４は排気状態となっているほうが被施療者Ｍの姿勢を前かがみにすることで臀部を突き出すことが出来、メカユニット７０による臀部のマッサージが効果的になる。また、被施療者Ｍに対するマッサージ姿勢の適性化は前記腿部用エアバッグａ４の給気やリクライニングによる方法以外に、被施療者Ｍに深く腰掛ける旨の通知を行うようにしてもよい。その場合は、リモートコントロールの画面に表示したり、音声により通知する等、被施療者Ｍが認識できる方法であれば何でもよい。
【００５９】
（２．臀部用エアバッグの形状パターン）
図１１は臀部用エアバッグの複数の形状パターンを示した模式図である。
図１１（ａ）は右臀部用エアバッグ、左臀部用エアバッグ、及び腿部用エアバッグを一体化して腿臀部用エアバッグａ８としたものである。この場合、前記のように右臀部用エアバッグａ３１及び左臀部用エアバッグａ３２は座部１に固定されていない。この状態でエアバッグａ８に給気を行うと、被施療者Ｍは姿勢を保ったまま上昇し、揉み玉９３により被施療者Ｍの臀部の内側をメカユニット７０によりマッサージすることができる。なお、腿臀部用エアバッグａ８の形状はこれに限定しない。
【００６０】
図１１（ｂ）は臀部用エアバッグａ３と腿部用エアバッグａ４にわかれているが、右臀部用エアバッグａ３１と左臀部用エアバッグａ３２が一体化している。従って、構成要素は図１４に示した従来技術と変わらないが、臀部用エアバッグａ３の形状が異なる。ここでは、被施療者Ｍの臀部の内側と臀部用エアバッグａ３が当接する箇所が凹んだ形状となっており、右臀部用エアバッグａ３１と左臀部用エアバッグａ３２が一体化しているとはいえ被施療者の臀部の内側に空間を確保することができ、臀部に対してメカユニット７０によりマッサージすることができる。このように、臀部用エアバッグａ３の形状は様々な形状を有することができる。なお、臀部用エアバッグａ３の形状はこれに限定しない。
【００６１】
図１１（ｃ）は第２の実施形態に係るマッサージ機と同じ構成要素だが、右臀部用エアバッグａ３１及び左臀部用エアバッグａ３２の形状が異なる。ここでは、右臀部用エアバッグａ３１及び左臀部用エアバッグａ３２の形状が矩形ではなく円形である。そして、この場合、それぞれのエアバッグを座部１に固定する際は図示したように点で固定することができる。従って、前記第２の実施形態で示した機能と全く同じ機能を実現することができる。なお、右臀部用エアバッグａ３１及び左臀部用エアバッグａ３２の形状はこれに限定せず、多角形等あらゆる形状を有することが可能である。
【００６２】
（３．一連のマッサージ動作）
図１３は本実施形態に係るマッサージ機の自動コースチャートである。
本実施形態に係るマッサージ機は前記にも示したように揉み上げや揉み下げ等の様々な種類のマッサージを行うことが可能である。また、メカユニット７０とエアバッグａ１、ａ２、・・・のマッサージを組み合わせることでより多くのマッサージを行うことができる。図１３に示したチャートはその一例である。上段部はメカユニット７０の動作を示し、下段部はエアバッグの動作を示す。縦方向はメカユニット７０及び各エアバッグが動作する体の各所が被施療者Ｍの上方から下方に掛けて列記されており、横方向は時間軸を示す。横軸の１メモリは１０秒である。
【００６３】
図１３において、例えば自動コースがスタートしてから４０秒から５０秒の１０秒間はメカユニット７０により被施療者の肩を中速で揉み下げ（2)は揉み下げを示す）をしながら脚上部、脚下部、足首部をエアバッグによりマッサージする。そして、順番に肩、首、肩、肩甲骨、背、腰とマッサージを行って、２分後には臀部のエアマッサージを行いながら、上記したように被施療者の身体を昇降させてメカユニット７０により臀部のマッサージを行う。臀部のマッサージを終えると、再びメカユニット７０は被施療者の上方に向かいながらマッサージを行う。
【００６４】
このように、本実施形態に係るマッサージ機は座部１に配設された臀部用エアバッグａ３１、ａ３２とメカユニット７０の動作が深く関与していることにより、被施療者の背部から臀部までのマッサージを一連の動作でシームレスに行うことができる。従って、前記のように自動コースに組み込むことも可能となり、被施療者は効果的なマッサージを受けることができる。
【００６５】
以上、本発明に係るマッサージ機では、従来はできなかった被施療者Ｍの臀部を揉み玉９３により効果的にマッサージすることが可能となる。
なお、上記各実施形態ではエアバッグにより被施療者Ｍの身体を昇降させるようにしたが、エアバッグに限定せずに被施療者Ｍの体を昇降できるものであればよい。
【００６６】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【図面の簡単な説明】
【００６７】
【図１】本発明の第１の実施形態に係るマッサージ機の全体斜視図である。
【図２】本発明の第１の実施形態に係るマッサージ機の側断面図である。
【図３】本発明の第１の実施形態に係るマッサージ機のメカユニットの各面図である。
【図４】本発明の第１の実施形態に係るマッサージ機の揉み玉ユニットの各面図である。
【図５】本発明の第１の実施形態に係るマッサージ機の給排気部の構成を示すブロック図である。
【図６】本発明の第１の実施形態に係るマッサージ機の腰部から臀部近傍のマッサージを図示した模式図である。
【図７】本発明の第２の実施形態に係るマッサージ機の座部の上断面図及び側断面図である。
【図８】本発明の第２の実施形態に係るマッサージ機の腰部から臀部近傍のマッサージを図示した模式図である。
【図９】本発明の第３の実施形態に係るマッサージ機の座部に備えるエアバッグの動作を示した模式図である。
【図１０】その他の実施形態に係るマッサージ機をリクライニングした場合の模式図である。
【図１１】臀部用エアバッグの複数の形状パターンを示した模式図である。
【図１２】本発明のその他の実施形態に係るマッサージ機の自動コースチャートである。
【図１３】従来技術におけるマッサージ機の全体斜視図である。
【符号の説明】
【００６８】
ａ１  脚上部用エアバッグ
ａ２  脚下部用エアバッグ
ａ３  臀部用エアバッグ
ａ３１  右臀部用エアバッグ
ａ３１１  右臀部用エアバッグ上
ａ３１２  右臀部用エアバッグ下
ａ３２  左臀部用エアバッグ
ａ３２１  左臀部用エアバッグ上
ａ３２２  左臀部用エアバッグ下
ａ４  腿部用エアバッグ
ａ６  背中部用エアバッグ
ａ７  腰部用エアバッグ
ａ８  腿臀部用エアバッグ
１  座部
２  背もたれ部
３  脚載部
５  基台部
１０  肘置部
１１  脚受
１５  枢軸
１６  支持アーム
１７  リクライニングアクチュエータ
１８  リクライニング用モータ
１９  フットレストアクチュエータ
２０  フットレスト駆動用モータ
７０  メカユニット
７１  ガイドレール
７３  ガイドローラ
７４  ガイドローラ
７５  ガイドローラ
７６  ガイドローラ
７７  ピニオンギア
７８  ピニオンギア
８０ａ  右組付台
８０ｂ  左組付台
８１  昇降モータ
８２  昇降軸
８３  ギアボックス
８４  軸受
８５  連結杆
８６  中空杆
９０  揉み玉ユニット
９１  揉みモータ
９２  叩きモータ
９３  揉み玉
９４  ハウジング
９５  ラック
９５ａ  所定半径距離
９６  ピニオンギア
９７  進退軸
９８  進退モータ
９９  ギアボックス
１１８  エアポンプ
１１９  分流器
１３０  スピードナット
１３２  タッピングスクリュー
１３６  右臀部用エアバッグ給排気部
１４０  腿部用エアバッグ給排気部
【図１】
2008295878.tif 000003
【図２】
2008295878.tif 000004
【図３】
2008295878.tif 000005
【図４】
2008295878.tif 000006
【図５】
2008295878.tif 000007
【図６】
2008295878.tif 000008
【図７】
2008295878.tif 000009
【図８】
2008295878.tif 000010
【図９】
2008295878.tif 000011
【図１０】
2008295878.tif 000012
【図１１】
2008295878.tif 000013
【図１２】
2008295878.tif 000014
【図１３】
2008295878.tif 000015